(57)【要約】【課題】負先行タイプで、４群ズームレンズにおいて、高い光学性能の維持した上で高変倍比化を達成した４群ズームレンズ、及びこの４群ズームレンズを備えた撮像装置を提供することを目的とする。【解決手段】物体側から像側に順に、負屈折力の第１レンズ群と、正屈折力の第２レンズ群と、正屈折力の第３レンズ群と、第４レンズ群を備え、第１レンズ群と第２レンズ群との間隔は広角端よりも望遠端にて減少し、第２レンズ群と第３レンズ群との間隔は広角端よりも望遠端にて増大し、第３レンズ群と第４レンズ群との間隔は広角端よりも望遠端にて減少し、第１レンズ群は光路折り曲げ部材を含み、第３レンズ群は正の屈折力を持つ１つのレンズ成分からなり、所定の条件式を満足する。【選択図】図１
2012128249.tif 000002
【特許請求の範囲】
【請求項１】
物体側から像側に順に、負屈折力の第１レンズ群と、正屈折力の第２レンズ群と、正屈折力の第３レンズ群と、第４レンズ群を備えた４群ズームレンズであって、
前記第１レンズ群と前記第２レンズ群との間隔は広角端よりも望遠端にて減少し、
前記第２レンズ群と前記第３レンズ群との間隔は広角端よりも望遠端にて増大し、
前記第３レンズ群と前記第４レンズ群との間隔は広角端よりも望遠端にて減少し、
前記第１レンズ群は、光路折り曲げ部材を含み、
前記第３レンズ群は、正の屈折力を持つ１つのレンズ成分からなり、
以下の条件式（１）、（２）、（３）を満足することを特徴とする４群ズームレンズ。
１．３＜β２Ｔ／β２Ｗ＜３．８          （１）
１．１＜β３Ｔ／β３Ｗ＜４．０          （２）
−０．２３＜ｆＷ／ｆ４Ｇ＜０．２３      （３）
ただし、
β２Ｔは、望遠端における前記第２レンズ群の横倍率、
β２Ｗは、広角端における前記第２レンズ群の横倍率、
β３Ｔは、望遠端における前記第３レンズ群の横倍率、
β３Ｗは、広角端における前記第３レンズ群の横倍率、
ｆ４Ｇは、前記第４レンズ群の焦点距離、
ｆＷは、広角端における前記４群ズームレンズ全系の焦点距離、
前記レンズ成分は、有効面での空気接触面が物体側面と像側面の２つのみのレンズ体、
である。
【請求項２】
前記第２レンズ群と前記第３レンズが以下の条件式（４）、（５）の少なくとも何れかを満足することを特徴とする請求項１に記載の４群ズームレンズ。
０．２＜ｆ２Ｇ／ｆＴ＜０．８５        （４）
０．１＜ｆ３Ｇ／ｆＴ＜１．５          （５）
ただし、
ｆ２Ｇは、前記第２レンズ群の焦点距離、
ｆ３Ｇは、前記第３レンズ群の焦点距離、
ｆＴは、望遠端における前記４群ズームレンズ全系の焦点距離、
である。
【請求項３】
前記第４レンズ群が１つのレンズ成分からなることを特徴とする請求項１または請求項２に記載の４群ズームレンズ。
【請求項４】
前記第４レンズ群が物体側に凹面を向けたメニスカス形状であることを特徴とする請求項１から請求項３のいずれか１項に記載の４群ズームレンズ。
【請求項５】
前記第４レンズ群が以下の条件式（６）を満足することを特徴とする請求項１から請求項４のいずれか１項に記載の４群ズームレンズ。
０．０００００１＜Ｄ４／｜ｆ４Ｇ｜＜０．０７        （６）
ただし、
Ｄ４は前記第４レンズ群の光軸上での厚み、
である。
【請求項６】
前記第４レンズ群は非球面を有することを特徴とする請求項１から請求項５のいずれか１項に記載の４群ズームレンズ。
【請求項７】
前記第４レンズ群は単レンズで構成されていることを特徴とする請求項１から請求項６のいずれか１項に記載の４群ズームレンズ。
【請求項８】
広角端から望遠端への変倍に際し、撮像面に対して光軸上に固定されていることを特徴とする請求項１から請求項７のいずれか１項に記載の４群ズームレンズ。
【請求項９】
前記第３レンズ群の前記レンズ成分が両凸形状であることを特徴とする請求項１から請求項８のいずれか１項に記載の４群ズームレンズ。
【請求項１０】
前記第３レンズ群の前記レンズ成分が以下の条件式（７）を満足することを特徴とする請求項９に記載の４群ズームレンズ。
０．０１＜（ｒ３Ｏ＋ｒ３Ｉ）／（ｒ３Ｏ−ｒ３Ｉ）＜０．４        （７）
ただし、
ｒ３Ｏは、前記第３レンズ群の前記レンズ成分の物体側面の近軸曲率半径、
ｒ３Ｉは、前記第３レンズ群の前記レンズ成分の像側面の近軸曲率半径、
である。
【請求項１１】
前記第３レンズ群の前記レンズ成分が単レンズであることを特徴とする請求項１から請求項１０のいずれか１項に記載の４群ズームレンズ。
【請求項１２】
前記第２レンズ群が、多くとも２枚の正レンズと多くとも１枚の負レンズからなることを特徴とする請求項１から請求項１１のいずれか１項に記載の４群ズームレンズ。
【請求項１３】
前記第１レンズ群は、物体側から順に、負の屈折力の前側サブレンズ群と、光路折り曲げ部材と、正の屈折力の後側サブレンズ群からなり、
前記前側サブレンズ群は１つの両凹単レンズからなり、
前記後側サブレンズ群は１つまたは２つの単レンズからなり、後側サブレンズ群の正レンズの総数は１であることを特徴とする請求項１から請求項１２のいずれか１項に記載の４群ズームレンズ。
【請求項１４】
以下の条件式（８）、（９）を満足することを特徴とする請求項１３に記載の４群ズームレンズ。
０．１＜f１ＦＮ／f１Ｇ＜１０            （８）
−１６＜f１ＲＰ／f１Ｇ＜−１．２        （９）
ただし、
f１Ｇは、前記第１レンズ群の焦点距離、
f１ＦＮは、前記前側サブレンズ群の前記両凹単レンズの焦点距離、
f１ＲＰは、前記後側サブレンズ群の前記正レンズの焦点距離、
である。
【請求項１５】
前記前側サブレンズ群の前記両凹単レンズは両面が非球面であることを特徴とする請求項１３または請求項１４に記載の４群ズームレンズ。
【請求項１６】
前記前側サブレンズ群の前記両凹単レンズは以下の条件式（１０）を満足することを特徴とする請求項１３から請求項１５のいずれか１項に記載の４群ズームレンズ。
−１＜（ｒ1FNＯ＋ｒ1FNＩ）／（ｒ1FNＯ−ｒ1FNＩ）＜０．７        （１０）
ただし、
ｒ1FNＯは、前記前側サブレンズ群の前記両凹単レンズの物体側面の近軸曲率半径、
ｒ1FNＩは、前記前側サブレンズ群の前記両凹単レンズの像側面の近軸曲率半径、
である。
【請求項１７】
前記前側サブレンズ群の前記両凹単レンズが以下の条件式（１１）を満足することを特徴とする請求項１３から請求項１６のいずれか１項に記載の４群ズームレンズ。
０．０３＜Ｄ１ＦＮｏｎ／Ｄ１ＦＮｏｆｆ＜０．３１          （１１）
ただし、
Ｄ１ＦＮｏｎは、前記前側サブレンズ群の前記両凹単レンズの光軸上での厚み、
Ｄ１ＦＮｏｆｆは、前記前側サブレンズ群の前記両凹単レンズの最大有効径位置での光軸に沿った方向での厚み、
である。
【請求項１８】
前記後側サブレンズ群の前記正レンズは以下の条件式（１２）を満足することを特徴とする請求項１３から請求項１７のいずれか１項に記載の４群ズームレンズ。
０．０２＜Ｄ１ＲＰ／Ｄ１Ｇ＜０．３        （１２）
ただし、
Ｄ１ＲＰは、前記後側サブレンズ群の前記正レンズの光軸に沿って計った光軸上の厚み、
Ｄ１Ｇは、前記第１レンズ群の光軸に沿って計った光軸上の厚み、
である。
【請求項１９】
前記前側サブレンズ群の前記両凹単レンズと前記後側サブレンズ群の前記正レンズが、共にプラスチックで構成されることを特徴とする請求項１３から請求項１８のいずれか１項に記載の４群ズームレンズ。
【請求項２０】
前記前側サブレンズ群の前記両凹単レンズと前記後側サブレンズ群の前記正レンズは、共に両面非球面レンズであることを特徴とする請求項１３から請求項１９のいずれか１項に記載の４群ズームレンズ。
【請求項２１】
前記前側サブレンズ群の前記両凹単レンズと前記後側サブレンズ群の前記正レンズが、共にガラスで構成されることを特徴とする請求項１３から請求項１８のいずれか１項に記載の４群ズームレンズ。
【請求項２２】
前記前側サブレンズ群の前記両凹単レンズと前記後側サブレンズ群の前記正レンズが、以下の条件式（１３）、（１４）を満足することを特徴とする請求項１３から請求項２１のいずれか１項に記載の４群ズームレンズ。
−０．３＜Ｎ１ＦＮ−Ｎ１ＲＰ＜０．１９        （１３）
１０．５＜ν１ＦＮ−ν１ＲＰ＜５０            （１４）
ただし、
Ｎ１ＦＮは、前記前側サブレンズ群の前記両凹単レンズのｄ線での屈折率、
Ｎ１ＲＰは、前記後側サブレンズ群の前記正レンズのｄ線での屈折率、
ν１ＦＮは、前記前側サブレンズ群の前記両凹単レンズのアッベ数、
ν１ＲＰは、前記後側サブレンズ群の前記正レンズのアッベ数、
である。
【請求項２３】
前記後側サブレンズ群は正レンズのみからなることを特徴とする請求項１３から請求項２２のいずれか１項に記載の４群ズームレンズ。
【請求項２４】
４群ズームレンズと、
前記４群ズームレンズの像側に配置された撮像素子と、
前記撮像素子からの信号を処理する画像処理部を有し、
前記４群ズームレンズが請求項１から請求項２３のいずれか１項に記載の４群ズームレンズであることを特徴とする撮像装置。
【発明の詳細な説明】
【技術分野】
【０００１】
本発明は、４群ズームレンズ及びこの４群ズームレンズを備えた撮像装置に関するものである。
【背景技術】
【０００２】
従来、光路中に反射部材を配置して光路を折り曲げることにより、光学系の薄型化を図ったズームレンズが知られている。なかでも、ズームレンズのタイプとして、負の屈折力のレンズ群を最も物体側に配置したタイプ（以下、負先行タイプ）で、なお且つ、その負の屈折力のレンズ群中に反射部材を配置さたせたタイプが知られている。一方で、正の屈折力のレンズ群を最も物体側に配置したタイプ（以下、正先行タイプ）のズームレンズも知られている。
【０００３】
負先行タイプのズームレンズは、正先行タイプのズームレンズと比較して、レンズ群数を低減できるというメリットや、レンズ群の偏心による影響、例えば結像性能の劣化を抑えやすくなるといったメリットを持つ。その中で、反射部材を持ち、レンズ群の屈折力を物体側から順に負・正・正・正とすることで高性能化を図ったズームレンズとして、特許文献１のズームレンズが知られている。
【先行技術文献】
【特許文献】
【０００４】
【特許文献１】特開２００３−０４３３５４号公報
【発明の概要】
【発明が解決しようとする課題】
【０００５】
しかしながら、特許文献１に開示されているズームレンズは、変倍比があまり大きいとはいえない。
【０００６】
本発明は、このような課題に鑑み、負先行タイプで、４群ズームレンズにおいて、高い光学性能を維持した上で高変倍比化を達成した４群ズームレンズ、及びこの４群ズームレンズを備えた撮像装置を提供することを目的とする。
【課題を解決するための手段】
【０００７】
上記課題を解決するために、本発明の４群ズームレンズは、物体側から像側に順に、負屈折力の第１レンズ群と、正屈折力の第２レンズ群と、正屈折力の第３レンズ群と、第４レンズ群を備えた４群ズームレンズであって、
第１レンズ群と第２レンズ群との間隔は広角端よりも望遠端にて減少し、
第２レンズ群と第３レンズ群との間隔は広角端よりも望遠端にて増大し、
第３レンズ群と第４レンズ群との間隔は広角端よりも望遠端にて減少し、
第１レンズ群は光路折り曲げ部材を含み、
第３レンズ群は正の屈折力を持つ１つのレンズ成分からなり、
以下の条件式（１）、（２）、（３）を満足することを特徴とする。
１．３＜β２Ｔ／β２Ｗ＜３．８          （１）
１．１＜β３Ｔ／β３Ｗ＜４．０          （２）
−０．２３＜ｆＷ／ｆ４Ｇ＜０．２３      （３）
ただし、
β２Ｔは、望遠端における第２レンズ群の横倍率、
β２Ｗは、広角端における第２レンズ群の横倍率、
β３Ｔは、望遠端における第３レンズ群の横倍率、
β３Ｗは、広角端における第３レンズ群の横倍率、
ｆ４Ｇは、第４レンズ群の焦点距離、
ｆＷは、広角端における４群ズームレンズ全系の焦点距離、
レンズ成分は、有効面での空気接触面が物体側面と像側面の２つのみのレンズ体、
である。
【０００８】
本発明の４群ズームレンズは負先行タイプ（第１レンズ群が負屈折力）のズームレンズであって、光学系の薄型化や小型化に有利な光路折り曲げ部材を光学系中に有している。そして本発明の４群ズームレンズでは、正屈折力の第２レンズと正屈折力の第３レンズに増倍機能を持たせている。また、第４レンズに群は、射出瞳位置を像面から離しやすくする機能や像面湾曲を補正する機能を持たせている。
【０００９】
本発明の４群ズームレンズでは、第１レンズ群と第２レンズ群の間隔を、広角端よりも望遠端にて減少させることで、第２レンズ群の増倍機能を確保している。また、第２レンズ群と第３レンズ群の間隔を、広角端よりも望遠端にて増大させると共に、３レンズ群と第４レンズ群との間隔を、広角端よりも望遠端にて減少させることで、第３レンズ群にも増倍機能を持たせやすくしている。このような構成を採用することで、本発明の４群ズームレンズは、従来に比べて高変倍比化に有利となっている。
【００１０】
また、本発明の４群ズームレンズでは、第３レンズ群を１つのレンズ成分にて構成しているので、第３レンズ群の全長を短くすることができる。これにより、第３レンズ群の可変間隔の長さを確保（移動可能な範囲を広く）できることから、小型化と高変倍比化を両立できる。
【００１１】
そして、以上の構成において、本発明の４群ズームレンズでは、条件式（１）、（２）、（３）を満足することが好ましい。条件式（１）、（２）、（３）は、第２、第３、第４レンズ群のそれぞれの機能を発揮するための好ましい条件式である。
【００１２】
条件式（１）は、第２レンズ群の変倍負担（変倍量）について、その好ましい範囲を特定するものである。
【００１３】
条件式（１）の下限を下回らないようにすることで、第２レンズ群での変倍負担が不足することを防止できる。この場合、第２レンズ群が負担すべき変倍量を確保することができるので、第２レンズ群の増倍機能を発揮させることができる。また、他のレンズ群に変倍の負担がかからないので、他のレンズ群での諸収差の発生を抑えることができる。
また、条件式（１）の上限を上回らないようにすることで、第２レンズ群の変倍負担が過剰になることを抑えることができる。これにより、第２レンズ群の移動量を抑えることができるので、光学系の小型化ができる。
【００１４】
条件式（２）は、第３レンズ群の変倍負担について、その好ましい範囲を特定するものである。
【００１５】
条件式（２）の下限を下回らないようにすることで、第３レンズ群での変倍負担が不足することを防止できる。この場合、第３レンズ群が負担すべき変倍量を確保できるので、第３レンズ群はその増倍機能を発揮させることができる。よって、第２レンズ群と共に用いた場合も所定の増倍機能が発揮できるので、高変倍比化が実現できる。
また、条件式（２）の上限を上回らないようにすることで、第３レンズ群の変倍負担が過剰になることを抑えることができる。これにより、第３レンズ群の移動量を抑えることができるので、光学系の小型化ができる。
【００１６】
条件式（３）は、第４レンズ群の屈折力について、その好ましい範囲を特定するものである。前述のように、第４レンズ群には、射出瞳位置を像面から離しやすくする機能や像面湾曲を補正する機能を持たせている。条件式（３）を満足することで、第４レンズ群においてこれらの機能を発揮できる。
【００１７】
条件式（３）の下限を下回らないようにすることで、第４レンズ群の負屈折力が不足する（必要以上に小さくなる）ことを防止できる。これにより、像面湾曲の補正に加えて、広角端付近でのテレセントリック性の確保に有利となる。
また、条件式（３）の上限を上回らないようにすることで、第４レンズ群の正屈折力が過剰になる（必要以上に大きくなる）ことを防止できる。これにより、第４レンズ群の軸上の厚みの低減に有利となる。
【００１８】
また、本発明の４群ズームレンズは、上記の構成において、第２レンズ群と第３レンズが以下の条件式（４）、（５）の少なくとも何れかを満足することが好ましい。
０．２＜ｆ２Ｇ／ｆＴ＜０．８５        （４）
０．１＜ｆ３Ｇ／ｆＴ＜１．５          （５）
ただし、
ｆ２Ｇは、第２レンズ群の焦点距離、
ｆ３Ｇは、第３レンズ群の焦点距離、
ｆＴは、望遠端における４群ズームレンズ全系の焦点距離、
である。
【００１９】
条件式（４）は、第２レンズ群の正屈折力について、その好ましい範囲を特定するものである。
【００２０】
条件式（４）の下限を下回らないようにすることで、第２レンズ群の正屈折力が過剰になることを防止することができる。よって、第２レンズ群における諸収差を低減することができる。
また、条件式（４）の上限を上回らないようにすることで、第２レンズ群の正屈折力が不足することを防止できる。すなわち、第２レンズ群において必要な屈折力を確保することができるので、第２レンズ群の増倍機能の確保につながる。
【００２１】
条件式（５）は、第３レンズ群の正屈折力について、その好ましい範囲を特定するものである。
【００２２】
条件式（５）の下限を下回らないようにすることで、第３レンズ群の正屈折力が過剰になることを防止することができる。よって、第３レンズ群における諸収差を低減することができる。
また、条件式（５）の上限を上回らないようにすることで、第３レンズ群の正屈折力が不足することを防止できる。すなわち、第３レンズ群において必要は屈折力を確保することができるので、第３レンズ群の増倍機能の確保につながる。
【００２３】
また、本発明の４群ズームレンズでは、上記の構成において、第４レンズ群が１つのレンズ成分からなることが好ましい。ただし、レンズ成分は、有効面での空気接触面が物体側面と像側面の２つのみのレンズ体を意味する。第４レンズ群を１つのレンズ成分のみで構成することで、第４レンズ群の薄型化に有利となる。さらに、この構成は、４群ズームレンズの小型化や第３レンズ群と第４レンズ群の間隔変化量の確保に有利となる。
【００２４】
また、本発明の４群ズームレンズでは、上記の構成において、第４レンズ群が物体側に凹面を向けたメニスカス形状であることが好ましい。第４レンズ群をこのような形状にすることで、第３レンズ群から射出する光線（軸外主光線）が第４レンズ群へ入射するときの入射角、及び第４レンズ群から射出するときの光線の射出角が適正（小さく）となるので、軸外収差の補正に有利となる。
【００２５】
また、本発明の４群ズームレンズでは、第４レンズ群が以下の条件式（６）を満足することが好ましい。
０．０００００１＜Ｄ４／｜ｆ４Ｇ｜＜０．０７        （６）
ただし、
Ｄ４は第４レンズ群の光軸上での厚み、
である。
【００２６】
条件式（６）は第４レンズ群の光軸上での厚みについて、その好ましい範囲を特定するものである。
【００２７】
条件式（６）の下限を下回らないようにすることで、第４レンズ群の光軸上の肉厚が薄くなりすぎることを防止できる。この場合、レンズの強度を確保することができるので、製造が容易となる。また、レンズの肉厚が確保できていることから、レンズ面の形状を曲率半径の小さい形状とすることができるので、屈折力を確保できる。
また、条件式（６）の上限値を上回らないようにすることで、第４レンズ群の光軸上の肉厚が厚くなりすぎることを防止できる。よって、全長の短縮化や間隔変化の量の確保に有利となる。
【００２８】
また、本発明の４群ズームレンズでは、上記の構成において、第４レンズ群は非球面を有することが好ましい。第４レンズ群に非球面を用いることで、像面湾曲をより良好に補正できる。
【００２９】
また、本発明の４群ズームレンズでは、上記の構成において、第４レンズ群は単レンズで構成することが好ましい。第４レンズ群を単レンズ、特に１枚の単レンズのみで構成することは、低コスト化、薄型化に有利となる。
【００３０】
また、本発明の４群ズームレンズでは、上記の構成において、広角端から望遠端への変倍に際し、撮像面に対して光軸上に固定されていることが好ましい。このようにすると、第４レンズ群を撮像面と一体に配置（保持）できるので、低コスト化につながる。
【００３１】
また、本発明の４群ズームレンズでは、上記の構成において、第３レンズ群のレンズ成分が両凸形状であることが好ましい。第３レンズ群のレンズ成分を両凸形状にすることで、屈折力の確保と収差補正に２つのレンズ面を利用することができる。すなわち、この構成は、第３レンズ群の正の屈折力の確保と収差低減の両立に有利となる。
【００３２】
また、本発明の４群ズームレンズでは、上記の構成において、第３レンズ群のレンズ成分が以下の条件式（７）を満足することが好ましい。
０．０１＜（ｒ３Ｏ＋ｒ３Ｉ）／（ｒ３Ｏ−ｒ３Ｉ）＜０．４        （７）
ただし、
ｒ３Ｏは、第３レンズ群のレンズ成分の物体側面の近軸曲率半径、
ｒ３Ｉは、第３レンズ群のレンズ成分の像側面の近軸曲率半径、
である。
【００３３】
条件式（７）は第３レンズ群のレンズ成分の形状について、その好ましい形状ファクターを特定するものである。条件式（７）を満足することで、第３レンズ群において、変倍に要する正屈折力を確保しつつ諸収差をバランスよく補正できる。
【００３４】
また、本発明の４群ズームレンズでは、上記の構成において、第３レンズ群のレンズ成分が単レンズであることが好ましい。第３レンズ群のレンズ成分を単レンズで構成することで、低コスト化に有利となる。
【００３５】
また、本発明の４群ズームレンズでは、上記の構成において、第２レンズ群が、多くとも２枚の正レンズと多くとも１枚の負レンズからなることが好ましい。第２レンズ群を３枚のレンズで構成することで、第２レンズ群の全長を短くできる。よって、第２レンズ群の可変間隔距離の確保に有利となる。また、正レンズと負レンズとにより、第２レンズ群自身で発生する収差を低減することができる。
【００３６】
また、本発明の４群ズームレンズでは、上記の構成において、第１レンズ群は、物体側から順に、負の屈折力の前側サブレンズ群と、光路折り曲げ部材と、正の屈折力の後側サブレンズ群からなり、
前側サブレンズ群は１つの両凹単レンズからなり、
後側サブレンズ群は１つまたは２つの単レンズからなり、後側サブレンズ群の正レンズの総数は１であることが好ましい。
【００３７】
本発明の４群ズームレンズでは、負屈折力の第１レンズ群も変倍機能を担っている。そのため、高変倍比化を達成しようとすると、第１レンズ群についても変倍機能を確保しておく必要がある。そのためには、第１レンズ群において、負の屈折力をある程度確保することが好ましい。また、コストの面でも、第１レンズ群において低コスト化を実現することが好ましい。
【００３８】
そこで、本発明の４群ズームレンズでは、第１レンズ群を、負の屈折力の前側サブレンズ群と、光路折り曲げ部材と、正の屈折力の後側サブレンズ群で構成し、さらに前側サブレンズ群を両凹単レンズで構成している。このようにすることで、第１レンズ群における負の屈折力を確保しつつ、望遠端付近における軸上収差の発生を抑えやすくしている。また、前側サブレンズ群のレンズ枚数は１枚なのでコストの低減もできる。
【００３９】
また、本発明の４群ズームレンズでは、後側サブレンズ群を１つまたは２つの単レンズで構成している。そして、前者の場合はその単レンズを正レンズとし、後者の場合は２つのうちの一方の単レンズを正レンズとすることで、第１レンズ群における諸収差の低減を行っている。なお、後者の場合に正レンズを残りの単レンズと接合させると、接合のための製造コストがかかる。そこで、後側サブレンズ群のレンズを単レンズのみで構成することで、コスト低減を実現している。
【００４０】
以上のように、本発明の４群ズームレンズでは、第１レンズ群のレンズを全て単レンズとしているので、低コスト化の面で有利となる。
【００４１】
また、本発明の４群ズームレンズでは、上記の構成において、以下の条件式（８）、（９）を満足することが好ましい。
０．１＜f１ＦＮ／f１Ｇ＜１０            （８）
−１６＜f１ＲＰ／f１Ｇ＜−１．２        （９）
ただし、
f１Ｇは、第１レンズ群の焦点距離、
f１ＦＮは、前側サブレンズ群の両凹単レンズの焦点距離、
f１ＲＰは、後側サブレンズ群の正レンズの焦点距離、
である。
【００４２】
条件式（８）は、前側サブレンズ群の両凹単レンズにおける屈折力について、その好ましい範囲を特定するものである。
条件式（８）の下限を下回らないようにすることで、両凹単レンズの屈折力が過剰になることを防止できる。その結果、両凹単レンズにおける諸収差の発生量を少なくすることができる。
また、条件式（８）の上限を上回らないようにすることで、両凹単レンズの屈折力が不足することを防止できる。前側サブレンズ群は第１レンズ群の負の屈折力の多くを担っているため、第１レンズ群における負の屈折力を確保することができる。
【００４３】
条件式（９）は、後側サブレンズ群の正レンズにおける屈折力について、その好ましい範囲を特定するものである。
条件式（９）の下限を下回らないようにすることで、正レンズの屈折力が不足することを防止できる。この場合、第１レンズ群の負レンズで発生する諸収差を正レンズで補正することができるので、第１レンズ群における諸収差の補正を良好に行うことができる。
また、条件式（９）の上限を上回らないようにすることで、正レンズの屈折力が過剰になることを防止できる。これにより、第１レンズ群全体の負の屈折力が小さくなること防止できるので、第１レンズ群において適切な負の屈折力を確保できる。
【００４４】
また、本発明の４群ズームレンズでは、上記の構成において、前側サブレンズ群の両凹単レンズは両面が非球面であることが好ましい。このようにすると、広角端における軸外収差の発生を抑えやすくなると共に、広角端での高次の像面湾曲を抑えることに有利となる。
【００４５】
また、本発明の４群ズームレンズでは、上記の構成において、前側サブレンズ群の両凹単レンズは以下の条件式（１０）を満足することが好ましい。
−１＜（ｒ1FNＯ＋ｒ1FNＩ）／（ｒ1FNＯ−ｒ1FNＩ）＜０．７        （１０）
ただし、
ｒ1FNＯは、前側サブレンズ群の両凹単レンズの物体側面の近軸曲率半径、
ｒ1FNＩは、前側サブレンズ群の両凹単レンズの像側面の近軸曲率半径、
である。
【００４６】
条件式（１０）は、両凹単レンズの形状について、その好ましい範囲を特定するものである。条件式（１０）を満足することで、光学系の小型化と性能確保ができる。
条件式（１０）の下限を下回らないようにするとことで、両凹形状とし、負パワーを確保しやすくなる。加えて、両凹単レンズの物体側面に入射する軸外主光線の入射角度を小さく抑えることができるので、効率よく軸外収差を抑えることができる。
また、条件式（１０）の上限を上回らないようにすることで、入射瞳を浅くする（入射瞳を物体側に位置させる）ことができるので光学系の小型化ができる。
【００４７】
また、本発明の４群ズームレンズでは、上記の構成において、前側サブレンズ群の両凹単レンズが以下の条件式（１１）を満足することが好ましい。
０．０３＜Ｄ１ＦＮｏｎ／Ｄ１ＦＮｏｆｆ＜０．３１          （１１）
ただし、
Ｄ１ＦＮｏｎは、前側サブレンズ群の両凹単レンズの光軸上での厚み、
Ｄ１ＦＮｏｆｆは、前側サブレンズ群の両凹単レンズの最大有効径位置での光軸に沿った方向での厚み、
である。
【００４８】
条件式（１１）は、両凹単レンズのレンズ厚について、その好ましい範囲を特定するものである。条件式（１１）を満足することで、レンズの強度を確保した上で、必要な曲率半径のレンズを得ることができる。
条件式（１１）の下限を下回らないようにするとことで、両凹単レンズの光軸上の肉厚が薄くなりすぎることを防止できる。この場合、レンズの強度を確保することができるので、製造が容易となる。
また、条件式（１１）の上限を上回らないようにすることで、軸上と周辺におけるレンズの厚みの差を大きく保つことができる。これにより、レンズの曲率半径をより小さくすることがきるため、低屈折率の硝材を用いてもレンズの屈折力を十分に確保できる。これは、例えば、低屈折率の硝材をレンズに用いたとしても、光線を大きく曲げることができるので広画角化等に有利となる。
【００４９】
また、本発明の４群ズームレンズでは、上記の構成において、後側サブレンズ群の正レンズは以下の条件式（１２）を満足することが好ましい。
０．０２＜Ｄ１ＲＰ／Ｄ１Ｇ＜０．３        （１２）
ただし、
Ｄ１ＲＰは、後側サブレンズ群の正レンズの光軸に沿って計った光軸上の厚み、
Ｄ１Ｇは、第１レンズ群の光軸に沿って計った光軸上の厚み、
である。
【００５０】
条件式（１２）は、後側サブレンズ群の正レンズの光軸に沿って計った光軸上の厚みについて、その好ましい範囲を特定するものである。条件式（１２）を満足することで、広角端および望遠端における倍率色収差を良好に補正することができる。
条件式（１２）の下限を下回らないようにすることで、正レンズの光軸上の肉厚が薄くなりすぎることを防止できる。この場合、レンズの強度を確保することができるので、製造が容易となる。また、レンズの肉厚が確保できていることから、レンズ面の形状を曲率半径の小さい形状とすることができるので、屈折力を確保できる。
また、条件式（１２）の上限を上回らないようにすることで、正レンズの光軸上の肉厚が厚くなりすぎることを防止できる。その結果、広角端および望遠端における倍率色収差を効率よく補正することができる。
【００５１】
また、本発明の４群ズームレンズでは、上記の構成において、前側サブレンズ群の両凹単レンズと後側サブレンズ群の正レンズが共にプラスチックで構成されることが好ましい。
【００５２】
前側サブレンズ群の両凹単レンズと後側サブレンズ群の正レンズの硝材をプラスチックにすることで、コストを低減することができる。なお、プラスチックはコスト低減の点で有利であるが、温度の変化によってレンズの焦点距離が大きく変化するという点で不利である。しかしながら、上記のように２つのレンズをプラスチックレンズにした場合、前側サブレンズ群のレンズは負レンズで、後側サブレンズ群のレンズは正レンズであるため、温度変化による焦点距離の変化をお互いでキャンセルしあうことができる。よって、コスト低減と光学性能の確保を両立することができる。
【００５３】
また、本発明の４群ズームレンズでは、前側サブレンズ群の両凹単レンズと後側サブレンズ群の正レンズがプラスチックで構成されている場合、２つのレンズは共に両面非球面レンズであることが好ましい。
【００５４】
前側サブレンズ群の両凹単レンズと後側サブレンズ群の正レンズを両面非球面レンズとすることで、非球面による収差補正機能を物体側面と像側面の双方に持たせることができる。そのため、前側サブレンズ群については、両凹単レンズの屈折力の確保と光学性能の確保の両立に有利となる。特に、広角端での軸外収差を抑えやすくすると共に、広角端での高次の像面湾曲を抑えることに有利となる。また、両凹単レンズの材質がプラスチックであるため、ガラス非球面レンズと比較して非球面の形成が容易となる。さらに、この２つのレンズはプラスチックで構成されているので、コストを低減することができる。
【００５５】
なお、本発明の４群ズームレンズでは、前側サブレンズ群の両凹単レンズと後側サブレンズ群の正レンズをプラスチックで構成せずに、ガラスで構成してもよい。
【００５６】
ガラスレンズは、温度変化による焦点距離の変化が起こり難い。そこで、前側サブレンズ群の両凹単レンズと後側サブレンズ群の正レンズをガラスで構成することで、温度の変化があっても焦点距離が大きく変化することを防ぐことができる。また、材料をガラスとすることで、高屈折率な材料を使うことができる。よって、単色収差や色収差の低減を行うことができる。
【００５７】
また、本発明の４群ズームレンズでは、上記の構成において、前側サブレンズ群の両凹単レンズと後側サブレンズ群の正レンズが以下の条件式（１３）、（１４）を満足することが好ましい。
−０．３＜Ｎ１ＦＮ−Ｎ１ＲＰ＜０．１９        （１３）
１０．５＜ν１ＦＮ−ν１ＲＰ＜５０            （１４）
ただし、
Ｎ１ＦＮは、前側サブレンズ群の両凹単レンズのｄ線での屈折率、
Ｎ１ＲＰは、後側サブレンズ群の正レンズのｄ線での屈折率、
ν１ＦＮは、前側サブレンズ群の両凹単レンズのアッベ数、
ν１ＲＰは、後側サブレンズ群の正レンズのアッベ数、
である。
【００５８】
条件式（１３）は両凹レンズと正レンズの屈折率差について、その好ましい範囲を特定するものである。また、条件式（１４）は両凹レンズと正レンズのアッベ数差について、その好ましい範囲を特定するものである。条件式（１３）、（１４）を満足することで、収差補正、コスト低減、小型化の面で有利となる。
【００５９】
条件式（１３)の下限を下回らないようにした状態で、条件式（１４）を満たすようにすると、硝材の低コスト化ができる。
また、条件式（１３)の上限を上回らないようにすることで、入射瞳位置を浅くすることができるので、光学系の小型化に有利となる。
【００６０】
条件式(１４)の下限を下回らないようにすることで、第１レンズ群における色収差の発生を効率よく抑えやすくなる。
また、条件式(１４)の上限を上回らないようにすることで、硝材の低コスト化に有利となる。
【００６１】
また、本発明の４群ズームレンズでは、後側サブレンズ群は、正レンズのみからなることが好ましい。このようにすると、レンズ枚数を少なくできるので、コスト低減に一層有利となる。
【００６２】
上記の本発明の４群ズームレンズでは、フォーカシングは、第１レンズ群の物体側への繰り出し等で達成できるが、これに限られない。繰り出すレンズ群を、第２レンズ群よりも像側にあるレンズ群のいずれかにしてもよい。特に、第３レンズ群以降のレンズ群は軽量化が可能であるので、これらのレンズ群を繰り出してフォーカシングを行うのが好ましい。もしくは、撮像素子を光軸方向に移動させてフォーカシングを行うようにしてもよい。
【００６３】
また、広角端から望遠端への変倍は、第１レンズ群と撮像素子を固定した状態で行ってもよい。それ以外の構成としては、第１レンズ群を撮像装置本体に固定し撮像素子が移動する構成、もしくは撮像素子を撮像装置に固定し第１レンズ群が移動する構成としてもよい。つまり、広角端から望遠端への変倍の際にレンズ全長が変化する構成としてもよい。
【００６４】
上述の各構成要件は、複数を同時に満足することがより好ましい。
【００６５】
また、本発明の撮像装置は、４群ズームレンズと、４群ズームレンズの像側に配置された撮像素子と、撮像素子からの信号を処理する画像処理部を有し、４群ズームレンズが上述のいずれかに記載の４群ズームレンズであることを特徴とする。
【００６６】
本発明の４群ズームレンズでは、たる型のディストーションが広角端付近で発生する。たる型のディストーションは、撮像素子の有効撮像領域内に発生するようにしてある。そのため、撮像素子で撮像した被写体の像には、たる型のディストーションが発生している。そこで、本発明の撮像装置には、たる型のディストーションを補正する画像処理部が設けられている。この画像処理部によって、矩形に補正された被写体の画像が、再生、表示、保存されるようになっている。
【００６７】
なお、画像処理部において、色信号ごとにディストーションを行えば、倍率の色収差を電気的に補正することができる。また、周辺減光の補正、ブレの補正、諸収差の補正を、画像処理部により行っても良い。
【００６８】
また、本発明の撮像装置では、広角端から望遠端への変倍時に、第１レンズ群から撮像素子までの距離が変化することが好ましい。このようにすると、ズームレンズの設計の自由度が増えるので、例えば、移動するレンズ群の群数の低減や、光学性能の確保につながる。
【００６９】
また、上述の各条件式については、更に以下のようにすることが好ましい。このようにすることで、各条件式で説明した効果をより有効に得ることができる。
【００７０】
条件式（１）の下限を１．４、更には１．５、更には２．０とすることが好ましい。
条件式（１）の上限を３．５、更には３．０とすることが好ましい。
条件式（２）の下限を１．２、更には１．３、更には１．４とすることが好ましい。
条件式（２）の上限を３．５、更には３．０、更には２．０とすることが好ましい。
条件式（３）の上限を０．２０、更には０．１５とすることが好ましい。
条件式（３）の下限を−０．２０、更には−０．１５とすることが好ましい。
条件式（４）の下限を０．３、更には０．４とすることが好ましい。
条件式（４）の上限を０．８、更には０．７５とすることが好ましい。
条件式（５）の下限を０．２、更には０．３とすることが好ましい。
条件式（５）の上限を０．７５、更には０．６５とすることが好ましい。
条件式（６）の上限を０．０６、更には０．０５とすることが好ましい。
条件式（７）の下限を０．０５、更には０．１とすることが好ましい。
条件式（７）の上限を０．３、更には０．２とすることが好ましい。
条件式（８）の下限を０．３、更には０．４１、更には０．５とすることが好ましい。
条件式（８）の上限を５、更には３、更には１、更には０．７とすることが好ましい。
条件式（９）の下限を−１０、更には−５、更には−３．５とすることが好ましい。
条件式（９）の上限を−１．５、更には−１．７、更には−１．８とすることが好ましい。
条件式（１０）の下限を−０．７、更には−０．５、更には−０．３５とすることが好ましい。
条件式（１０）の上限を０．５、更には０．３２とすることが好ましい。
条件式（１１）の下限を０．０６、更には０．１、更には０．１５とすることが好ましい。
条件式（１１）の上限を０．２７、更には０．２４、更には０．２２とすることが好ましい。
条件式（１２）の下限を０．０５、更には０．０７、更には０．１とすることが好ましい。
条件式（１２）の上限を０．２５、更には０．１９、更には０．１５とすることが好ましい。
レンズがプラスチックで構成されている場合、条件式（１３）の下限を−０．２５、更には−０．２、更には−０．１５とすることが好ましい。
レンズがプラスチックで構成されている場合、条件式（１３）の上限を０．１５、更には０．１、更には０．０５、更には−０．０５とすることが好ましい。
レンズがガラスで構成されている場合、条件式（１３）の下限を−０．２８、更には−０．２６、更には−０．２４とすることが好ましい。
レンズがガラスで構成されている場合、条件式（１３）の上限を０．１、更には０．０５、更には−０．０５、更には−０．１とすることが好ましい。
レンズがプラスチックで構成されている場合、条件式（１４）の下限を１５、更には２０、更には２５とすることが好ましい。
レンズがプラスチックで構成されている場合、条件式（１４）の上限を４５、更には４０、更には３３とすることが好ましい。
レンズがガラスで構成されている場合、条件式（１４）の下限を１３、更には１５、更には１８とすることが好ましい。
レンズがガラスで構成されている場合、条件式（１４）の上限を４０、更には３５、更には３０とすることが好ましい。
【００７１】
なお、以上の説明において、焦点距離は近軸焦点距離のことである。また、以上の説明における光学系の構成や条件式は、フォーカシングが可能なズームレンズでは、特に定義が無い限り、最も遠距離の物体に合焦した状態（無限遠物点合焦時）における構成や条件式である。
【発明の効果】
【００７２】
本発明によれば、負先行タイプで、４群ズームレンズにおいて、光学性能の維持した上で高変倍比化を達成した４群ズームレンズ、及びこの４群ズームレンズを備えた撮像装置を提供することができる。
【図面の簡単な説明】
【００７３】
【図１】本発明の４群ズームレンズの第１実施例の無限遠物点合焦時の広角端（ａ）、中間焦点距離状態（ｂ）、広角端（ｃ）でのレンズ断面図である。
【図２】本発明の４群ズームレンズの第２実施例の図１と同様の図である。
【図３】本発明の４群ズームレンズの第３実施例の図１と同様の図である。
【図４】本発明の４群ズームレンズの第４実施例の図１と同様の図である。
【図５】本発明の４群ズームレンズの第５実施例の図１と同様の図である。
【図６】本発明の４群ズームレンズの第６実施例の図１と同様の図である。
【図７】実施例１の無限遠物点合焦時の収差図である。
【図８】実施例２の無限遠物点合焦時の収差図である。
【図９】実施例３の無限遠物点合焦時の収差図である。
【図１０】実施例４の無限遠物点合焦時の収差図である。
【図１１】実施例５の無限遠物点合焦時の収差図である。
【図１２】実施例６の無限遠物点合焦時の収差図である。
【図１３】本発明による４群ズームレンズを組み込んだデジタルカメラの概観を示す前方斜視図である。
【図１４】上記デジタルカメラの後方斜視図である。
【図１５】上記デジタルカメラの断面図である。
【図１６】上記デジタルカメラの主要部の内部回路の構成ブロック図である。
【発明を実施するための形態】
【００７４】
以下に、本発明にかかる４群ズームレンズ及び撮像装置の実施例を、図面に基づいて詳細に説明する。なお、この実施例によりこの発明が限定されるものではない。
【００７５】
以下、本発明の４群ズームレンズの実施例１〜６について説明する。実施例１〜６の無限遠物点合焦時の広角端（ａ）、中間焦点距離状態（ｂ）、広角端（ｃ）でのレンズ断面図を図１〜６に示す。図１〜６中、第１レンズ群はＧ１、第２レンズ群はＧ２、第３レンズ群はＧ３、第４レンズ群はＧ４、赤外光カットフィルターはＦ、カバーガラスはＣ、像面はＩで示してある。
【００７６】
ここで、赤外光カットフィルターＦは、ローパスフィルタ上に赤外光をカットするコート（多層膜）を施したものであっても良い。また、カバーガラスＣは電子撮像素子の平行平板である。なお、カバーガラスＣの表面に赤外光をカットするコートを施しても良い。また、そのカバーガラスＣにローパスフィルタ作用を持たせるようにしても良い。平行平板Ｆは、ローパスフィルターの機能を持たないようにしてもよい。
【００７７】
また、各実施例において、明るさ絞りＳは第２レンズ群Ｇ２と一体で移動する。数値データは、いずれも無限遠の物体（被写体）に合焦した状態でのデータである。各数値の長さの単位はｍｍ、角度は°（度）である。さらに、ズームデータは広角端（ＷＥ）、中間焦点距離状態（ＳＴ）、望遠端（ＴＥ）での値である。
【００７８】
フォーカシングは全ての実施例において、第３レンズ群Ｇ３の移動により行うことが好ましい。実施例１〜６の４群ズームレンズでは、正の屈折力の第３レンズ群Ｇ３を物体側に移動することで遠距離から近距離へのフォーカシングを行っている。なお、これに限らず、撮像素子を光軸方向に移動させてフォーカシングを行ってもよい。
【００７９】
また、レンズ断面図からわかるように、各レンズ群の動きは撮像面を基準（固定）にして示している。よって、実施例１〜６の４群ズームレンズでは、変倍時に第１レンズ群Ｇ１が移動する様子が描かれている。しかしながら、変倍時に第１レンズ群Ｇ１は固定しておいたほうが、撮像装置の機密性を高めることができる。よって、機密性を高める場合は、変倍時には第１レンズ群Ｇ１の位置は固定しておき、撮像素子を移動させるのが好ましい。
【００８０】
また、各実施例において、反射部材が光路折り曲げ部材に該当する。この反射部材は、具体的にはプリズムである。なお、プリズムに代えてミラーを用いてもよい。
【００８１】
実施例１のズームレンズは、図１に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３、正の屈折力の第４レンズ群Ｇ４とが配置されている。
【００８２】
広角端から望遠端への変倍時、第１レンズ群Ｇ１は物体側に移動する。第２レンズ群Ｇ２は物体側に移動する。第３レンズ群Ｇ３は像側に移動する。第４レンズ群Ｇ４は固定である。このように、実施例１のズームレンズは、各レンズ群の間の距離が変化する４群ズームレンズである。
【００８３】
物体側から順に、第１レンズ群Ｇ１は、両凹負レンズと、反射部材と、両凸正レンズとからなる。第２レンズ群Ｇ２は、両凸正レンズと、両凸正レンズと両凹負レンズとの接合レンズからなる。第３レンズ群Ｇ３は両凸正レンズからなる。第４レンズ群Ｇ４は物体側に凹面を向けた正メニスカスレンズからなる。
【００８４】
非球面は、第１レンズ群Ｇ１の両凹負レンズの両面と、両凸正レンズの両面と、第２レンズ群Ｇ２の両凸正レンズの両面と、第３レンズ群Ｇ３の両凸正レンズの像側面と、第４レンズ群Ｇ４の物体側に凹面を向けた正メニスカスレンズの物体側面との合計８面に用いている。
【００８５】
実施例２のズームレンズは、図２に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３、正の屈折力の第４レンズ群Ｇ４とが配置されている。
【００８６】
広角端から望遠端への変倍時、第１レンズ群Ｇ１は物体側に移動する。第２レンズ群Ｇ２は物体側に移動する。第３レンズ群Ｇ３は像側に移動する。第４レンズ群Ｇ４は固定である。このように、実施例２のズームレンズは、各レンズ群の間の距離が変化する４群ズームレンズである。
【００８７】
物体側から順に、第１レンズ群Ｇ１は、両凹負レンズと、反射部材と、物体側に凹面を向けた正メニスカスレンズとからなる。第２レンズ群Ｇ２は、両凸正レンズと、両凸正レンズと両凹負レンズとの接合レンズからなる。第３レンズ群Ｇ３は両凸正レンズからなる。第４レンズ群Ｇ４は物体側に凹面を向けた正メニスカスレンズからなる。
【００８８】
非球面は、第１レンズ群Ｇ１の両凹負レンズの両面と、物体側に凹面を向けた正メニスカスレンズの両面と、第２レンズ群Ｇ２の両凸正レンズの両面と、第３レンズ群Ｇ３の両凸正レンズの像側面と、第４レンズ群Ｇ４の物体側に凹面を向けた正メニスカスレンズの物体側面との合計８面に用いている。
【００８９】
実施例３のズームレンズは、図３に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３、正の屈折力の第４レンズ群Ｇ４とが配置されている。
【００９０】
広角端から望遠端への変倍時、第１レンズ群Ｇ１は物体側に移動する。第２レンズ群Ｇ２は物体側に移動する。第３レンズ群Ｇ３は像側に移動する。第４レンズ群Ｇ４は固定である。このように、実施例３のズームレンズは、各レンズ群の間の距離が変化する４群ズームレンズである。
【００９１】
物体側から順に、第１レンズ群Ｇ１は、両凹負レンズと、反射部材と、両凸正レンズとからなる。第２レンズ群Ｇ２は、両凸正レンズと、物体側に凸面を向けた正メニスカスレンズと物体側に凸面を向けた負メニスカスレンズとの接合レンズからなる。第３レンズ群Ｇ３は両凸正レンズからなる。第４レンズ群Ｇ４は物体側に凹面を向けた正メニスカスレンズからなる。
【００９２】
非球面は、第１レンズ群Ｇ１の両凹負レンズの両面と、両凸正レンズの両面と、第２レンズ群Ｇ２の両凸正レンズの両面と、第３レンズ群Ｇ３の両凸正レンズの像側面と、第４レンズ群Ｇ４の物体側に凹面を向けた正メニスカスレンズの物体側面との合計８面に用いている。
【００９３】
実施例４のズームレンズは、図４に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３、正の屈折力の第４レンズ群Ｇ４とが配置されている。
【００９４】
広角端から望遠端への変倍時、第１レンズ群Ｇ１は物体側に移動する。第２レンズ群Ｇ２は物体側に移動する。第３レンズ群Ｇ３は像側に移動する。第４レンズ群Ｇ４は固定である。このように、実施例４のズームレンズは、各レンズ群の間の距離が変化する４群ズームレンズである。
【００９５】
物体側から順に、第１レンズ群Ｇ１は、両凹負レンズと、反射部材と、両凸正レンズとからなる。第２レンズ群Ｇ２は、両凸正レンズと、物体側に凸面を向けた正メニスカスレンズと物体側に凸面を向けた負メニスカスレンズとの接合レンズからなる。第３レンズ群Ｇ３は両凸正レンズからなる。第４レンズ群Ｇ４は物体側に凹面を向けた正メニスカスレンズからなる。
【００９６】
非球面は、第１レンズ群Ｇ１の両凹負レンズの両面と、両凸正レンズの両面と、第２レンズ群Ｇ２の両凸正レンズの両面と、第３レンズ群Ｇ３の両凸正レンズの像側面と、第４レンズ群Ｇ４の物体側に凹面を向けた正メニスカスレンズの物体側面との合計８面に用いている。
実施例５のズームレンズは、図５に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３、負の屈折力の第４レンズ群Ｇ４とが配置されている。
【００９７】
広角端から望遠端への変倍時、第１レンズ群Ｇ１は物体側に移動する。第２レンズ群Ｇ２は物体側に移動する。第３レンズ群Ｇ３は像側に移動する。第４レンズ群Ｇ４は固定である。このように、実施例５のズームレンズは、各レンズ群の間の距離が変化する４群ズームレンズである。
【００９８】
物体側から順に、第１レンズ群Ｇ１は、両凹負レンズと、反射部材と、物体側に凹面を向けた正メニスカスレンズとからなる。第２レンズ群Ｇ２は、両凸正レンズと、両凸正レンズと両凹負レンズとの接合レンズからなる。第３レンズ群Ｇ３は両凸正レンズからなる。第４レンズ群Ｇ４は物体側に凹面を向けた負メニスカスレンズからなる。
【００９９】
非球面は、第１レンズ群Ｇ１の両凹負レンズの両面と、物体側に凹面を向けた正メニスカスレンズの両面と、第２レンズ群Ｇ２の両凸正レンズの両面と、第３レンズ群Ｇ３の両凸正レンズの像側面と、第４レンズ群Ｇ４の物体側に凹面を向けた正メニスカスレンズの物体側面との合計８面に用いている。
【０１００】
実施例６のズームレンズは、図６に示すように、物体側から像側に順に、負の屈折力の第１レンズ群Ｇ１と、明るさ絞りＳと、正の屈折力の第２レンズ群Ｇ２と、正の屈折力の第３レンズ群Ｇ３、負の屈折力の第４レンズ群Ｇ４とが配置されている。
【０１０１】
広角端から望遠端への変倍時、第１レンズ群Ｇ１は物体側に移動する。第２レンズ群Ｇ２は物体側に移動する。第３レンズ群Ｇ３は像側に移動する。第４レンズ群Ｇ４は固定である。このように、実施例６のズームレンズは、各レンズ群の間の距離が変化する４群ズームレンズである。
【０１０２】
物体側から順に、第１レンズ群Ｇ１は、両凹負レンズと、反射部材と、物体側に凹面を向けた正メニスカスレンズとからなる。第２レンズ群Ｇ２は、両凸正レンズと、両凸正レンズと両凹負レンズとの接合レンズからなる。第３レンズ群Ｇ３は両凸正レンズからなる。第４レンズ群Ｇ４は物体側に凹面を向けた負メニスカスレンズからなる。
【０１０３】
非球面は、第１レンズ群Ｇ１の両凹負レンズの両面と、物体側に凹面を向けた正メニスカスレンズの両面と、第２レンズ群Ｇ２の両凸正レンズの両面と、第３レンズ群Ｇ３の両凸正レンズの像側面と、第４レンズ群Ｇ４の物体側に凹面を向けた正メニスカスレンズの物体側面との合計８面に用いている。
【０１０４】
以下に、上記各実施例の数値データを示す。記号は上記の外、ｆは全系焦点距離、ＢＦはバックフォーカス、ｆ１、ｆ２…は各レンズ群の焦点距離、ＩＨは像高、ＦＮＯはＦナンバー、ωは半画角、ＷＥは広角端、ＳＴは中間焦点距離状態、ＴＥは望遠端、ｒは各レンズ面の曲率半径、ｄは各レンズ面間の間隔、ｎｄは各レンズのｄ線の屈折率、νｄは各レンズのアッベ数である。後述するレンズ全長は、レンズ最前面からレンズ最終面までの距離にバックフォーカスを加えたものである。ＢＦ（バックフォーカス）は、レンズ最終面から近軸像面までの距離を空気換算して表したものである。
【０１０５】
なお、非球面形状は、ｘを光の進行方向を正とした光軸とし、ｙを光軸と直交する方向にとると、下記の式にて表される。
【０１０６】
ｘ＝（ｙ２／ｒ）／［１＋｛１−（Ｋ＋１）（ｙ／ｒ）２｝１／２］
＋Ａ４ｙ４＋Ａ６ｙ６＋Ａ８ｙ８＋Ａ１０ｙ１０＋Ａ１２ｙ１２
ただし、ｒは近軸曲率半径、Ｋは円錐係数、Ａ４、Ａ６、Ａ８、Ａ１０、Ａ１２はそれぞれ４次、６次、８次、１０次、１２次の非球面係数である。また、非球面係数において、「ｅ−ｎ」（ｎは整数）は、「１０−ｎ」を示している。
【０１０７】
また、以下の数値実施例１〜４では、広角端での像高が、中間焦点距離状態や望遠端での像高に対して小さくなっている。これは、上述したように、たる型のディストーションが発生しているからである。そして、数値実施例における広角端での全画角（２ω）の値は、たる型の有効撮像領域の像高に対応する画角を表示している。
【０１０８】
また、数値実施例において、反射部材（プリズム）の反射面を示す数値はデータから省略しているが、第３面が反射部材の入射面、第４面が反射部材の射出面を示している。よって、反射面は第３面と第４面の間に存在する。
【０１０９】
数値実施例１
単位：ｍｍ
面データ
面番号       r           d         nd       υd
物面        ∞          ∞
1*      -7.487       0.97     1.53110    55.91
2*      12.191       1.79
3         ∞         7.00     1.88300    40.80
4         ∞         0.30
5*      30.132       1.50     1.63493    23.90
6*     -70.000       可変  
7(絞り)   ∞         0.70
8*       6.129       2.38     1.49700    81.54
9*     -16.278       0.11
10       11.001       3.49     1.76182    26.52
11      -12.852       0.40     1.84666    23.78
12        4.540       可変
13       14.287       2.90     1.53110    55.91
14*      -9.746       可変
15*     -20.000       0.61     1.53110    55.91
16      -20.000       0.35
17         ∞         0.30     1.51633    64.14
18         ∞         0.50
19         ∞         0.50     1.51633    64.14
20         ∞         0.37
像面(撮像面)  ∞
非球面データ
第１面
k=0.000
A4=2.08019e-03,A6=-3.26772e-05,A8=3.75554e-07  
第２面
k=3.328
A4=6.58910e-04,A6=1.88880e-05,A8=-7.45717e-07  
第５面
k=0.000
A4=-6.95567e-04,A6=3.74130e-05,A8=1.19289e-07  
第６面
k=0.000
A4=-5.64334e-04,A6=2.76133e-05,A8=3.58379e-07  
第８面
k=0.000
A4=-3.97291e-04,A6=9.65125e-07  
第９面
k=0.000
A4=4.58180e-04  
第１４面
k=0.000
A4=4.52981e-04,A6=2.25500e-09  
第１５面
k=0.000
A4=-9.19140e-04,A6=1.88942e-05  
【０１１０】
ズームデータ
広角      中間      望遠
像高               3.74      4.04      4.04
焦点距離           5.09      8.94     19.28
ＦＮＯ．           3.50      5.47      7.00
画角２ω          78.87     47.97     22.64
d6                11.09      6.77      0.40  
d12                1.18     11.10     24.97  
d14                3.53      1.78      0.40  
fb (in air)        1.75      1.75      1.75
全長 (in air)     39.70     43.55     49.68
群焦点距離
f1=-15.65     f2=13.93     f3=11.39     f4=3550.96   
【０１１１】
数値実施例２
単位：ｍｍ
面データ
面番号       r           d         nd       υd
物面        ∞          ∞
1*      -7.729       0.97     1.53110    55.91
2*      12.902       1.85
3         ∞         7.00     1.88300    40.80
4         ∞         0.30
5*    -134.950       1.50     1.63493    23.90
6*     -22.715       可変
7(絞り)   ∞         0.70
8*       6.120       2.45     1.58313    59.46
9*     -14.173       0.10
10       17.067       3.22     1.67790    55.34
11      -17.947       0.52     1.80000    29.84
12        4.546       可変
13       13.438       3.35     1.51633    64.06
14*      -9.462       可変
15*     -20.000       0.61     1.53110    55.91
16      -20.000       0.35
17         ∞         0.30     1.51633    64.14
18         ∞         0.50
19         ∞         0.50     1.51633    64.14
20         ∞         0.37
像面(撮像面)  ∞
非球面データ
第１面
k=0.000
A4=2.04598e-03,A6=-3.13038e-05,A8=3.26785e-07  
第２面
k=4.133
A4=8.63342e-04,A6=1.65689e-05,A8=-6.97112e-07  
第５面
k=0.000
A4=-8.92289e-04,A6=2.82135e-05  
第６面
k=0.000
A4=-7.62040e-04,A6=2.03867e-05  
第８面
k=0.000
A4=-5.15115e-04,A6=6.61255e-07  
第９面
k=0.000
A4=4.90565e-04  
第１４面
k=0.000
A4=4.90118e-04,A6=-2.65331e-06  
第１５面
k=0.000
A4=-4.70846e-04,A6=4.96149e-06  
【０１１２】
ズームデータ
広角      中間      望遠
像高               3.66      4.04      4.04
焦点距離           4.92      9.76     18.57
ＦＮＯ．           3.50      5.72      7.00
画角２ω          81.57     45.47     24.19
d6                11.44      4.77      0.40  
d12                1.51     11.98     24.11  
d14                2.97      1.61      0.40  
fb (in air)        1.75      1.75      1.75
全長 (in air)     40.26     42.70     49.23
群焦点距離
f1=-14.47     f2=13.19     f3=11.32     f4=3550.96   
【０１１３】
数値実施例３
単位：ｍｍ
面データ
面番号       r           d         nd       υd
物面        ∞          ∞
1*     -16.430       1.07     1.73077    40.51
2*       9.460       1.79
3         ∞         7.00     1.88300    40.80
4         ∞         0.30
5*      28.785       1.76     1.92286    20.88
6*    -515.445       可変
7(絞り)   ∞         0.70
8*       6.370       2.35     1.49710    81.56
9*     -50.186       0.11
10        5.991       3.06     1.55332    71.68
11       23.958       0.39     1.79379    31.44
12        3.829       可変
13       13.268       2.84     1.49710    81.56
14*      -9.095       可変
15*     -20.000       0.61     1.53110    55.91
16      -20.000       0.35
17         ∞         0.30     1.51633    64.14
18         ∞         0.50
19         ∞         0.50     1.51633    64.14
20         ∞         0.37
像面(撮像面)  ∞
非球面データ
第１面
k=0.000
A4=-2.39012e-04,A6=1.88729e-05,A8=-2.01759e-07  
第２面
k=-1.805
A4=-5.95052e-04,A6=2.97371e-05,A8=7.28981e-08  
第５面
k=0.000
A4=-6.36678e-06,A6=1.87173e-05,A8=1.39760e-07  
第６面
k=0.000 
A4=2.45735e-05,A6=1.46922e-05,A8=3.86559e-07  
第８面
k=0.000
A4=-1.62460e-04,A6=-7.89415e-07  
第９面
k=0.000
A4=3.91294e-04  
第１４面
k=0.000
A4=7.41995e-04,A6=-2.35232e-06  
第１５面
k=0.000
A4=-6.86825e-04,A6=1.90452e-05  
【０１１４】
ズームデータ
広角      中間      望遠
像高               3.76      4.04      4.04
焦点距離           5.10     10.85     24.51
ＦＮＯ．           3.54      6.60      7.03
画角２ω          79.15     39.30     18.17
fb (in air)        1.74      1.74      1.74
全長 (in air)     39.97     47.21     57.44
d6                11.34      6.48      0.35  
d12                0.98     15.55     33.25  
d14                3.92      1.44      0.40  
群焦点距離
f1=-15.48     f2=14.61     f3=11.33     f4=3550.96   
【０１１５】
数値実施例４
単位：ｍｍ
面データ
面番号       r           d         nd       υd
物面        ∞          ∞
1*      -9.089       0.97     1.57099    50.80
2*      10.418       1.79
3         ∞         7.00     1.88300    40.80
4         ∞         0.30
5*      27.738       1.65     1.80486    24.74
6*    -245.969       可変  
7(絞り)   ∞         0.70
8*       6.094       2.35     1.49710    81.56
9*     -19.599       0.11
10       11.310       3.49     1.76182    26.52
11       27.648       0.40     1.84666    23.78
12        4.463       可変
13       12.547       2.84     1.49710    81.56
14*      -9.246       可変
15*     -20.000       0.61     1.53110    55.91
16      -20.000       0.35
17         ∞         0.30     1.51633    64.14
18         ∞         0.50
19         ∞         0.50     1.51633    64.14
20         ∞         0.37
像面(撮像面)  ∞
非球面データ
第１面
k=0.000
A4=1.24966e-03,A6=-1.80834e-05,A8=1.65562e-07  
第２面
k=0.054
A4=2.76695e-04,A6=1.23601e-05,A8=-3.91111e-07  
第５面
k=0.000
A4=-1.77183e-04,A6=5.78325e-06,A8=2.46140e-07  
第６面
k=0.000
A4=-9.94457e-05,A6=-7.16642e-09,A8=4.66973e-07  
第８面
k=0.000
A4=-4.95489e-04,A6=-7.16103e-06  
第９面
k=0.000
A4=2.26216e-04  
第１４面
k=0.000
A4=6.84926e-04,A6=-1.51451e-06  
第１５面
k=0.000
A4=-7.41285e-04,A6=1.80025e-05  
【０１１６】
ズームデータ
広角      中間      望遠
像高               3.76      4.04      4.04
焦点距離           5.10     10.82     24.44
ＦＮＯ．           3.50      6.50      7.03
画角２ω          79.04     39.25     18.07
d6                11.30      6.32      0.35  
d12                0.98     15.64     33.32  
d14                3.88      1.55      0.40  
fb (in air)        1.74      1.74      1.74
全長 (in air)     40.13     47.48     57.71
群焦点距離
f1=-15.74     f2=14.79     f3=11.19     f4=3550.96   
【０１１７】
数値実施例５
単位：ｍｍ
面データ
面番号       r           d         nd       υd
物面        ∞          ∞
1*      -7.732       0.97     1.53110    55.91
2*      12.844       1.86
3         ∞         7.00     1.88300    40.80
4         ∞         0.30
5*    -177.135       1.50     1.63493    23.90
6*     -23.553       可変  
7(絞り)   ∞         0.70
8*       6.100       2.45     1.58313    59.46
9*     -13.726       0.10
10       18.057       3.22     1.67790    55.34
11      -17.834       0.52     1.80000    29.84
12        4.573       可変  
13       13.533       3.35     1.51633    64.06
14*      -9.332       可変  
15*     -18.206       0.61     1.53110    55.91
16      -18.631       0.35
17         ∞         0.30     1.51633    64.14
18         ∞         0.50
19         ∞         0.50     1.51633    64.14
20         ∞         0.37
像面(撮像面)  ∞
非球面データ
第１面
k=0.000
A4=2.03975e-03,A6=-3.13927e-05,A8=3.28916e-07  
第２面
k=4.165
A4=8.58770e-04,A6=1.54895e-05,A8=-7.16243e-07  
第５面
k=0.000
A4=-8.33560e-04,A6=2.40172e-05  
第６面
k=0.000
A4=-7.15440e-04,A6=1.68215e-05  
第８面
k=0.000
A4=-5.51470e-04,A6=-6.20584e-07  
第９面
k=0.000
A4=4.69307e-04  
第１４面
k=0.000
A4=5.20020e-04,A6=-2.65063e-06  
第１５面
k=0.000
A4=-4.62715e-04,A6=5.83109e-06  
【０１１８】
ズームデータ
広角      中間      望遠
像高               4.04      4.04      4.04
焦点距離           4.93      9.99     18.55
ＦＮＯ．           3.50      5.79      6.99
画角２ω          89.07     44.36     24.21
d6                11.45      4.47      0.40  
d12                1.58     12.34     24.08  
d14                2.93      1.66      0.42  
fb (in air)        1.74      1.74      1.74
全長 (in air)     40.32     42.77     49.22
群焦点距離
f1=-14.46     f2=13.19     f3=11.26     f4=-2999.97   
【０１１９】
数値実施例６
単位：ｍｍ
面データ
面番号       r           d         nd       υd
物面        ∞          ∞
1*      -7.831       0.95     1.53110    55.91
2*      12.001       1.92
3         ∞         7.00     1.88300    40.80
4         ∞         0.30
5*    -287.847       1.51     1.63493    23.90
6*     -23.890       可変
7(絞り)   ∞         0.70
8*       6.094       2.45     1.58313    59.46
9*     -13.769       0.10
10       18.727       3.22     1.72000    46.02
11      -11.693       0.52     1.80000    29.84
12        4.561       可変
13       13.324       3.33     1.51633    64.06
14*     -10.020       可変
15*     -12.560       0.60     1.53110    55.91
16      -12.973       0.35
17         ∞         0.30     1.51633    64.14
18         ∞         0.50
19         ∞         0.50     1.51633    64.14
20         ∞         0.37
像面(撮像面)  ∞
非球面データ
第１面
k=0.000
A4=2.07313e-03,A6=-3.15508e-05,A8=3.16680e-07  
第２面
k=3.578
A4=8.36072e-04,A6=2.19679e-05,A8=-8.04809e-07  
第５面
k=0.000
A4=-8.89903e-04,A6=2.56386e-05  
第６面
k=0.000
A4=-7.55491e-04,A6=1.73458e-05  
第８面
k=0.000
A4=-5.31694e-04,A6=-5.99689e-07  
第９面
k=0.000
A4=4.86196e-04  
第１４面
k=0.000
A4=4.43386e-04,A6=-2.67304e-06  
第１５面
k=0.000
A4=-3.08363e-04,A6=4.65425e-06  
【０１２０】
ズームデータ
広角      中間      望遠
像高               4.04      4.04      4.04
焦点距離           4.93     10.45     18.55
ＦＮＯ．           3.50      5.95      6.99
画角２ω          88.75     42.90     24.41
d6                11.82      4.17      0.40  
d12                1.61     13.08     24.07  
d14                3.03      1.65      0.42  
fb (in air)        1.74      1.74      1.74
全長 (in air)     40.83     43.23     49.22
群焦点距離
f1=-14.46     f2=13.29     f3=11.64     f4=-1499.44   
【０１２１】
以上の実施例１〜６の無限遠物点合焦時の収差図をそれぞれ図７〜図１２に示す。これらの収差図において、（ａ）は広角端、（ｂ）は中間焦点距離状態、（ｃ）は望遠端における球面収差（ＳＡ）、非点収差（ＡＳ）、歪曲収差（ＤＴ）、倍率色収差（ＣＣ）を示す。各図中、”ＦＩＹ”は最大像高を示す。
【０１２２】
次に、各実施例における条件式の値を掲げる。
条件式                         実施例1    実施例2     実施例3     実施例4
(1)β2T/β2W                     2.32       2.53        2.61        2.56 
(2)β3T/β3W                     1.63       1.49        1.84        1.87 
(3)fW/f4G                        0.00143    0.00139     0.00144     0.00144
(4)f2G/fT                        0.72       0.71        0.60        0.61 
(5)f3G/fT                        0.59       0.61        0.44        0.47
(6)D4/|f4G|                      0.00017    0.00017     0.00017     0.00017
(7)(r3O+r3I)/(r3O-r3I)           0.19       0.17        0.19        0.15 
(8)f1FN/f1G                      0.55       0.62        0.52        0.53 
(9)f1RP/f1G                     -2.13      -2.96       -1.91       -1.97 
(10)(r1FNO+r1FNI)/(r1FNO-r1FNI) -0.24      -0.25        0.27       -0.07 
(11)D1FNon/D1FNoff               0.20       0.18        0.27        0.28 
(12)D1RP/D1G                     0.13       0.13        0.15        0.14 
(13)N1FN-N1RP                   -0.10      -0.10       -0.19       -0.23 
(14)ν1FN-ν1RP                 32.01      32.01       19.63       26.06
【０１２３】
条件式                        実施例5    実施例6
(1)β2T/β2W                     2.53       2.54
(2)β3T/β3W                     1.49       1.48
(3)fW/f4G                       -0.00164   -0.00329
(4)f2G/fT                        0.71       0.72
(5)f3G/fT                        0.61       0.63
(6)D4/|f4G|                      0.00020    0.00040
(7)(r3O+r3I)/(r3O-r3I)           0.18       0.14
(8)f1FN/f1G                      0.62       0.61
(9)f1RP/f1G                     -2.95      -2.83
(10)(r1FNO+r1FNI)/(r1FNO-r1FNI) -0.25      -0.21
(11)D1FNon/D1FNoff               0.19       0.18
(12)D1RP/D1G                     0.13       0.13
(13)N1FN-N1RP                   -0.10      -0.10
(14)ν1FN-ν1RP                 32.01      32.01
【０１２４】
（デジタルカメラ）
さて、以上のような本発明のズームレンズで物体像を形成しその像をＣＣＤ等の電子撮像素子に受光させて撮影を行う電子撮影装置、とりわけデジタルカメラやビデオカメラ等に用いることができる。以下に、その実施形態を例示する。
【０１２５】
図１３〜図１５は、本発明によるズームレンズをデジタルカメラの撮影光学系１４１に組み込んだ構成の概念図を示す。図１３はデジタルカメラ１４０の外観を示す前方斜視図、図１４は同後方斜視図、図１５はデジタルカメラ１４０の構成を示す断面図である。デジタルカメラ１４０は、この例の場合、撮影用光路１４２を有する撮影光学系１４１、ファインダー用光路１４４を有するファインダー光学系１４３、シャッター１４５、フラッシュ１４６、液晶表示モニター１４７等を含み、カメラ１４０の上部に配置されたシャッター１４５を押圧すると、それに連動して撮影光学系１４１、例えば実施例１の光路折り曲げズームレンズを通して撮影が行われる。撮影光学系１４１によって形成された物体像が、近赤外カットフィルターと光学的ローパスフィルターＦを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１２６】
さらに、ファインダー用光路１４４上にはファインダー用対物光学系１５３が配置してある。このファインダー用対物光学系１５３によって形成された物体像は、像正立部材であるポロプリズム１５５の視野枠１５７上に形成される。このポリプリズム１５５の後方には、正立正像にされた像を観察者眼球Ｅに導く接眼光学系１５９が配置されている。なお、撮影光学系１４１及びファインダー用対物光学系１５３の入射側、接眼光学系１５９の射出側にそれぞれカバー部材１５０が配置されている。
【０１２７】
このように構成されたデジタルカメラ１４０は、撮影光学系１４１が５倍程度の高変倍比で、高い光学性能を有するズームレンズであるので、高性能で、奥行き方向が極めて薄い安価なデジタルカメラが実現できる。
【０１２８】
なお、図１５の例では、カバー部材１５０として平行平面板を配置しているが、省いてもよい。
【０１２９】
（内部回路構成）
図１６は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０１３０】
図１６に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０１３１】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０１３２】
操作部１１２は各種の入力ボタンやスイッチを備え、これらの入力ボタンやスイッチを介して外部（カメラ使用者）から入力されるイベント情報を制御部に通知する回路である。
【０１３３】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０１３４】
ＣＣＤ１４９は、本発明による撮影光学系１４１を介して形成された物体像を受光する。ＣＣＤ１４９は、撮像駆動回路１１６により駆動制御され、その物体像の画素ごとの光量を電気信号に変換してＣＤＳ／ＡＤＣ部１２４に出力する撮像素子である。
【０１３５】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０１３６】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０１３７】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０１３８】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【産業上の利用可能性】
【０１３９】
以上のように、本発明にかかるズームレンズは高い光学性能の維持と低コスト化に有用であり、特に、ＣＣＤやＣＭＯＳ等の電子撮像素子を備える撮像装置の光学系に適している。
【符号の説明】
【０１４０】
Ｇ１…第１レンズ群
Ｇ２…第２レンズ群
Ｇ３…第３レンズ群
Ｇ４…第４レンズ群
Ｓ…開口絞り
Ｆ…ローパスフィルタ
Ｃ…カバーガラス
Ｐ…プリズム
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
【図１】
2012128249.tif 000003
【図２】
2012128249.tif 000004
【図３】
2012128249.tif 000005
【図４】
2012128249.tif 000006
【図５】
2012128249.tif 000007
【図６】
2012128249.tif 000008
【図７】
2012128249.tif 000009
【図８】
2012128249.tif 000010
【図９】
2012128249.tif 000011
【図１０】
2012128249.tif 000012
【図１１】
2012128249.tif 000013
【図１２】
2012128249.tif 000014
【図１３】
2012128249.tif 000015
【図１４】
2012128249.tif 000016
【図１５】
2012128249.tif 000017
【図１６】
2012128249.tif 000018